(57)【特許請求の範囲】
【請求項１】
被固定物を囲んで固定するためのケーブルタイにおいて、
前記被固定物を囲むように柔軟な材質で形成され、外面に多数の掛かり顎が設けられるバンド部、
一側が前記バンド部と連結され、前記被固定物を囲んだバンド部の一部が挿入されるように設けられて、前記挿入されたバンド部の掛かり顎が掛かるようになると、前記バンド部が前記被固定物を囲んだ状態で結束されるように設けられる固定部、および
前記固定部の他側に連結され、複数で設けられて相互切開されると、前記固定部の他側が切開されるように設けられる切開部を含む切開型ケーブルタイ。
【請求項２】
前記固定部は、
前記バンド部の一部が結束されて挿入されるように挿入溝が設けられ、
前記挿入溝に結束されて挿入された前記バンド部の一部の結束が解除されるように、前記他側に相互切開される複数の固定顎が設けられる本体、および
前記本体の内面に設けられ、前記挿入溝に挿入されたバンド部の一部の掛かり顎に掛かるようになると、前記バンド部が前記本体に固定された状態で結束されるように設けられる固定部材を含むことを特徴とする請求項１に記載の切開型ケーブルタイ。
【請求項３】
前記複数の固定顎は、
前記切開部が相互切開されると、前記切開部に沿って相互切開されるように、切開が容易な凹入した形状で設けられることを特徴とする請求項２に記載の切開型ケーブルタイ。
【請求項４】
前記切開部は、
前記複数の固定顎から前記他側に向かって連結される第１切開部、および
前記第１切開部と接合されるように設けられ、前記複数の固定顎から前記他側に向かって連結される第２切開部を含み、
前記第１切開部は、
把持することができる把持端面が設けられる第１把持部、および
前記第１把持部が前記複数の固定顎のうちのいずれか１つの固定顎に連結されるように設けられる第１連結部を含み、
前記第２切開部は、
把持することができる把持端面が設けられる第２把持部、および
前記第２把持部が前記複数の固定顎のうちのいずれか１つの固定顎と異なる１つの固定顎に連結されるように設けられる第２連結部を含むことを特徴とする請求項２に記載の切開型ケーブルタイ。
【請求項５】
前記第１連結部および前記第２連結部は、
前記引張力が加わると、前記引張力によって相互切開されて、前記複数の固定顎の他側が切開されるように、切開が容易な凹入した形状を有する状態で互いに接続されていることを特徴とする請求項４に記載の切開型ケーブルタイ。
【発明の詳細な説明】
【技術分野】
【０００１】
本発明は、切開型ケーブルタイに関する。より詳細には、被固定物を囲んで結束するケーブルタイを別途の工具なしで解除することができる切開型ケーブルタイに関する。
【背景技術】
【０００２】
一般的に、従来のケーブルタイは、被固定物を結束したり、一定の位置に固定するために使用されるものであって、固定部とケーブルを囲んだ状態で、前記固定部を通過して固定されるフレキシブルな材質のバンド部により構成される。
【０００３】
しかし、従来のケーブルタイは、固定部とバンド部の幅が非常に小さく、バンド部を固定部に結合する作業が容易ではなく、特に把持が難しくて強い力でケーブルタイを締める作業が難しいという問題点がある。
【０００４】
また、従来のケーブルタイが被固定物を結束した状態から解除するためには、切断用の鋭い工具を使用して、バンド部を切断しなければならず、鋭い工具によって被固定物が切断され得る問題点がある。
【先行技術文献】
【特許文献】
【０００５】
【特許文献１】韓国登録実用新案第２０-０４５４８７４号公報
【発明の概要】
【発明が解決しようとする課題】
【０００６】
前記のような問題点を解決するため、大韓民国登録実用新案公報２０-０４５４８７４（２０１１年８月２日公告）のように、固定部に連結部が連結され、被固定物を固定させる過程で作業者が把持して容易に作業することができるように設けられる把持部が連結部に連結され、バンド部が固定部に挿入されて被固定物を囲んだ状態が維持されると、バンド部の両側面のうちの少なくともいずれか一側に形成される切断溝を介して被固定物を囲み、挿入孔を貫通して突出したバンド部の一部が切断されるようにすると開示されているが、これは、被固定物を囲んだ後、切断溝を介して固定部を貫通して露出するバンド部の一部だけを特別な工具なしで容易に切断することができるものであって、固定部に挿入されて被固定物を囲むケーブルタイの結束が解除されるようにするためには、別途の工具により固定部を切断しなければならないという不便な問題点がある。
【０００７】
したがって、被固定物を囲んで結束するケーブルタイを別途の工具なしで解除することができる切開型ケーブルタイに関するものである。
【０００８】
本発明は、前記のような問題点を解決するためのものであって、本発明の目的は、固定部に被固定物を囲んだバンド部を結束させ、固定部と連結される切開部に引張力が加わって切開されると、切開部に加わる引張力によって固定部が切開されて、バンド部の結束を解除することができる切開型ケーブルタイを提供することにある。
【課題を解決するための手段】
【０００９】
前記目的を達成するための本発明の実施形態に係る切開型ケーブルタイは、被固定物を囲んで固定するためのケーブルタイにおいて、前記被固定物を囲むように柔軟な材質で形成され、外面に多数の掛かり顎が設けられるバンド部、一側が前記バンド部と連結され、前記被固定物を囲んだバンド部の一部が挿入されるように設けられて、前記挿入されたバンド部の掛かり顎が掛かるようになると、前記バンド部が前記被固定物を囲んだ状態で結束されるように設けられる固定部、および前記固定部の他側に連結され、複数で設けられて相互切開されると、前記固定部の他側が切開されるように設けられる切開部を含む。
そして、前記固定部は、前記バンド部の一部が結束されて挿入されるように挿入溝が設けられ、前記挿入溝に結束されて挿入された前記バンド部の一部の結束が解除されるように、前記他側に相互切開される複数の固定顎が設けられる本体、および前記本体の内面に設けられ、前記挿入溝に挿入されたバンド部の一部が掛かり顎に掛かるようになると、前記バンド部が前記本体に固定された状態で結束されるように設けられる固定部材を含むことができる。
【００１０】
また、前記複数の固定顎は、前記切開部が相互切開されると、前記切開部に沿って相互切開されるように、切開が容易な凹入した形状で設けられることができる。
【００１１】
そして、前記切開部は、前記複数の固定顎から前記他側に向かって連結される第１切開部、および前記第１切開部と接合されるように設けられ、前記複数の固定顎から前記他側に向かって連結される第２切開部を含み、前記第１切開部は、把持することができる把持端面が設けられる第１把持部、および前記第１把持部が前記複数の固定顎のうちのいずれか１つの固定顎に連結されるように設けられる第１連結部を含み、前記第２切開部は、把持することができる把持端面が設けられる第２把持部、および前記第２把持部が前記複数の固定顎のうちのいずれか１つの固定顎と異なる１つの固定顎に連結されるように設けられる第２連結部を含むことができる。
【００１２】
また、前記第１連結部および前記第２連結部は、前記引張力が加わると、前記引張力によって相互切開されて、前記複数の固定部の他側が切開されるように、切開が容易な凹入した形状で設けられることができる。
【発明の効果】
【００１３】
これによって、バンド部が固定部に挿入されて結束され、固定部と連結される切開部に引張力が加わると、切開部に加わる引張力によって固定部が切開されてバンド部の結束を解除することができる効果がある。
【００１４】
そして、作業者が固定部に連結される切開部を把持した状態で、バンド部で被固定物を囲む作業を随行することができ、作業性が向上する効果がある。
【図面の簡単な説明】
【００１５】
【図１】本発明の一実施形態に係る切開型ケーブルタイの斜視図である。
【図２】本発明の一実施形態に係る切開型ケーブルタイの構造を説明するために示した図である。
【図３】本発明の一実施形態に係る切開部および固定部の連結構造を説明するための図である。
【図４】本発明の一実施形態に係る切開部によって固定部が相互切開される状態を示した図である。
【図５】本発明の一実施形態に係る切開部の形状を説明するための平面図である。
【図６】本発明の一実施形態に係る固定部の形状を説明するための平面図である。
【図７】本発明の他の実施形態に係る切開型ケーブルタイの断面図である。
【発明を実施するための形態】
【００１６】
以下では、本発明の実施形態を添付図面を参照して詳細に説明する。以下に紹介される実施形態は、本発明が属する技術分野における通常の知識を有する者に本発明の思想が十分に伝達されるようにするために、例として提供されるものである。本発明は、以下に説明される実施形態に限定されず、他の形態で具体化されることもできる。本発明を明確に説明するために、説明と関係ない部分は図面では省略しており、図面において、構成要素の幅、長さ、厚さなどは便宜のために誇張されて表現されていることがある。明細書全体にわたって同一の参照符号は、同一の構成要素を示す。
【００１７】
図１は、本発明の一実施形態に係る切開型ケーブルタイの斜視図である。
【００１８】
図１に示すように、本発明の一実施形態に係る切開型ケーブルタイは、被固定物の周りを囲むようになると、被固定物が結束されるようにしたり、被固定物の結束が解除されるようにするためのものであって、バンド部１００、切開部２００および固定部３００を含む。
【００１９】
バンド部１００は、被固定物の周りを囲むために固定部３００の一側に連結される。
【００２０】
そして、バンド部１００は、被固定物を囲むようになると、一部が固定部３００に挿入されて結束されることによって、被固定物を囲んだ状態で維持されることができる。
また、バンド部１００は、被固定物の外形に関係なく、被固定物の周りを囲むために、柔軟な材質で形成されることができる。
【００２１】
切開部２００は、固定部３００に挿入されたバンド部１００の一部が固定部３００の結束から解除されるようにするために、固定部３００の他側に連結される。
【００２２】
そして、切開部２００は、把持端面を把持して引張力を加えるようになると、バンド部１００を介して被固定物を囲む作業を行うことができる。
【００２３】
固定部３００は、被固定物の周りを囲んだバンド部１００の一部が挿入されると、バンド部１００が、被固定物を囲んだ状態で結束されるようにするために設けられる。
【００２４】
また、固定部３００は、作業者が切開部２００を把持して引張力を加えて切開されると、バンド部１００の一部が固定部３００から結束が解除されることができる。
【００２５】
ここで、切開部２００が固定部３００からバンド部１００の一部の結束が解除されるようにする方式は、図２で詳細に説明するようにする。
【００２６】
図２は、本発明の一実施形態に係る切開型ケーブルタイの構造を説明するために示した図である。
【００２７】
図２に示すように、バンド部１００は、被固定物を囲んだ後に固定部３００に挿入されると、固定部３００によって被固定物を囲んだ状態で結束されるためのものであって、バンド１１０および引張部１２０を含む。
【００２８】
バンド１１０は、被固定物の周りを囲むようになると、固定部３００に挿入されて結束され、被固定物を囲んだ状態で維持されるために設けられる。
【００２９】
具体的に、バンド１１０は、固定部２００の一側に連結され、被固定物の周りに関係なく、被固定物を囲むことができるように柔軟な材質で設けられ、固定部３００に挿入されると、固定部３００の後述の固定部材３２０に掛かって固定部３００に結束されるために掛かり顎１１１が設けられる。
【００３０】
引張部１２０は、バンド１１０と固定部３００の一側との間に設けられ、バンド１１０が、被固定物を柔軟に囲んで固定部３００に挿入されるようにするために、弾性力を有する弾性体またはゴムのような伸縮性のある材質で設けられる。
【００３１】
そして、切開部２００は、作業者が把持することができる把持端面が設けられ、把持端面を把持して引張力を加えるようになると、固定部２００に挿入されて結束されるバンド１１０の一部が固定部３００から結束が解除されるようにするためのものであって、第１切開部２１０および第２切開部２２０を含む。
【００３２】
第１切開部２１０は、固定部３００の他側に連結され、固定部３００の他側が切開されるようにして、固定部３００に挿入されたバンド１１０の一部が固定部３００から結束が解除されるようにするために設けられる。
【００３３】
具体的に、第１切開部２１０は、固定部３００の他側に設けられる後述の第１固定顎３１２に連結され、作業者が把持して引張力を加えて固定部３００の後述の第１固定顎３１２と後述の第２固定顎３１３が切開されるようにすると、バンド１１０の一部が固定部３００の他側に向かって結束が解除されるようにすることができる。
【００３４】
第２切開部２２０は、第１切開部２１０と同様に、固定部３００の他側に連結され、固定部３００の他側が切開されるようにして、固定部３００に挿入されたバンド１１０の一部が固定部３００から結束が解除されるようにするために設けられる。
【００３５】
具体的に、第２切開部２２０は、固定部３００の他側に設けられる後述の第２固定顎３１３に連結され、作業者が把持して引張力を加えて、固定部３００の後述の第１固定顎３１２と後述の第２固定顎３１３が切開されるようにすると、バンド１１０の一部が固定部３００の他側に向かって結束が解除されるようにすることができる。
【００３６】
また、固定部３００は、バンド１１０の一部が挿入されると、バンド１１０の一部が被固定物を囲んだ状態で結束されるようにするか、第１切開部２１０および第２切開部２２０に加わる引張力によってバンド１１０の一部の結束が解除されるようにするためのものであって、本体３１０および固定部材３２０を含む。
【００３７】
本体３１０は、バンド１１０の一部が被固定物を囲んだ後に挿入されて結束されるようにし、挿入されたバンド１１０の一部の結束が解除されるようにするために設けられる。
【００３８】
具体的に、本体３１０は、一側がバンド１１０と結合される引張部１２０と連結され、バンド１１０の一部が被固定物を囲んだ後に挿入されるように、後述の挿入溝３１１が設けられ、他側が相互に切開される後述の第１固定顎３１２および後述の第２固定顎３１３で設けられ、第１切開部２１０および第２切開部２２０を介して引張力が伝達されると、後述の第１固定顎３１２および後述の第２固定顎３１３が、相互切開されて挿入されたバンド１１０の一部の結束が解除されることができる。
【００３９】
固定部材３２０は、バンド１１０の一部が本体３１０に挿入されると、バンド１１０の一部が被固定物を囲んだ状態で結束されるようにするために設けられる。
【００４０】
具体的に、固定部材３２０は、後述の挿入溝３１１の内面に設けられ、バンド１１０の一部が後述の挿入溝３１１に挿入されて結束されると、バンド１１０の一部が後述の挿入溝３１１に挿入される過程でバンド１１０の掛かり顎１１１が掛かることによって、バンド１１０の一部が後述の挿入溝３１１に挿入された方向と反対方向に結束が解除されるのを防止することができる。
【００４１】
図３は、本発明の一実施形態に係る切開部および固定部の連結構造を説明するための図であり、図４は、本発明の一実施形態に係る切開部によって固定部が相互切開される状態を示した図である。
【００４２】
図３および図４に示すように、第１切開部２１０および第２切開部２２０は、作業者が把持して引張力を加えるようになると、相互切開されて固定部３００の他側が切開されるようにするためのものであって、第１把持部２１１、第１連結部２１２、第２把持部２２１および第２連結部２２２を含む。
【００４３】
第１把持部２１１は、第１切開部２１０に形成され、作業者が把持して引張力を加えるようになると、第１切開部２１０および第２切開部２２０が相互切開されるようにするために設けられる。
【００４４】
具体的に、第１把持部２１１は、後述の第１固定顎３１２に第１連結部２１２を介して連結され、作業者が把持して引張力を加えるようになると、第１連結部２１２と第２連結部２２２が相互切開されるようにするために設けられることができる。
【００４５】
第２把持部２１２は、第２切開部２２０に形成され、作業者が把持して引張力を加えるようになると、第１切開部２１０および第２切開部２２０が相互切開されるようにするために設けられる。
【００４６】
具体的に、第２把持部２２１は、後述の第２固定顎３１３に第２連結部２２２を介して連結され、作業者が把持して引張力を加えるようになると、第１連結部２１２と第２連結部２２２が相互切開されるようにするために設けられることができる。
【００４７】
このとき、第１把持部２１１および第２把持部２２１は、バンド部１００と同様に柔軟な材質で設けられ、２枚の木の葉の形状に形成される。
【００４８】
さらに、第１把持部２１１および第２把持部２２１は、作業者が把持することができる把持端面で、作業者が容易に把持して被固定物を囲む作業を行うことができるようにし、周囲の環境と似合うように外観を美麗にする美的機能を行うことができる。
【００４９】
そのために、第１把持部２１１および第２把持部２２１は、図３および図４に示すように、２枚の木の葉の形状に限定されるものではなく、環境に合わせて様々な形態で形成されることができる。
【００５０】
第１連結部２１２は、第２連結部２２２と接合された状態で第１把持部２１１および第２把持部２２１に引張力が加わると、第２連結部２２２と相互切開されて、後述の第１固定顎３１２および後述の第２固定顎３１３が切開されるようにするために設けられる。
【００５１】
第２連結部２２２は、第１連結部２１２と接合された状態で第１把持部２１１および第２把持部２２１に引張力が加わると、第１連結部２１２と相互切開されて、後述の第１固定顎３１２および後述の第２固定顎３１３が切開されるようにするために設けられる。
【００５２】
そして、本体３１０は、バンド１１０の一部が挿入されるようにし、第１把持部２１１および第２把持部２２１に引張力が加わって、第１連結部２１１および第２連結部２２１が相互切開されると、固定部材３２０に掛かって結束されたバンド１１０の一部の結束が解除されるようにするためのものであって、挿入溝３１１、第１固定顎３１２および第２固定顎３１３を含む。
【００５３】
挿入溝３１１は、被固定物を囲んだバンド１１０の一部が挿入されるようにするために設けられる。
【００５４】
このとき、挿入溝３１１は、内面に設けられる固定部材３２０にバンド１１０の一部の掛かり顎１１１が掛かって結束されるが、バンド１１０の一部を結束させる結束力が強化されるようにバンド１１０の形状と同一の形状で設けられ、バンド１１０が挿入溝３１１の内面に密着して安全に結束されるようにすることができる。
【００５５】
第１固定顎３１２は、第１連結部２１２および第２連結部２２２が相互切開されると、第２固定顎３２２と相互切開され、バンド１１０の一部の結束が解除されるようにするために設けられる。
【００５６】
具体的に、第１固定顎３１２は、第１把持部２１１および第２把持部２２１に引張力が加わって、第１連結部２１２および第２連結部２２２が相互切開されると、第１連結部２１２および第２連結部２２２が、相互切開される方向に第２固定顎３１３と相互切開されることによって、挿入溝３１１に挿入されて固定部材３２０により結束されるバンド１１０の一部の結束が解除されるようにすることができる。
【００５７】
第２固定顎３１３は、第１連結部２１２および第２連結部２２２が相互切開されると、第１固定顎３１２と相互切開されてバンド１１０の一部の結束が解除されるようにするために設けられる。
【００５８】
具体的に、第２固定顎３１３は、第１把持部２１１および第２把持部２２１に引張力が加わって、第１連結部２１２および第２連結部２２２が相互切開されると、第１連結部２１２および第２連結部２２２が、相互切開される方向に第１固定顎３１２と相互切開されることによって、挿入溝３１１に挿入されて固定部材３２０により結束されるバンド１１０の一部の結束が解除されるようにすることができる。
【００５９】
このとき、第１固定顎３１２および第２固定顎３１３は、第１連結部２１２および第２連結部２２２が相互切開される方向に沿って容易に相互切開され、引張力によって曲がったり破損して、バンド１１０の一部の結束が解除されるのを防止するために、弾性力を有することになる弾性体で設けられることができる。
【００６０】
図５は、本発明の一実施形態に係る切開部の形状を説明するための平面図である。
【００６１】
図５に示すように、第１切開部２１０および第２切開部２２０は、相互切開されることが容易なように、第１連結部２１２および第２連結部２１２が接合される部分が、第１把持部２１１および第２把持部２２１の幅よりも狭い凹入した形状で設けられる。
【００６２】
したがって、作業者が第１把持部２１１および第２把持部２２１を把持して引張力を加えるようになると、第１把持部２１１および第２把持部２２１の幅よりも狭い凹入溝によって第１連結部２１２および第２連結部２１２が切開されることができる。
【００６３】
図６は、本発明の一実施形態に係る固定部の形状を説明するための平面図である。
【００６４】
図６に示すように、第１固定顎３１２および第２固定顎３１３は、相互切開されることが容易なように、相互接合される部分が第１固定顎３１２および第２固定顎３１３の幅よりも狭い凹入した形状で設けられる。
【００６５】
したがって、作業者が第１把持部２１１および第２把持部２２１を把持して、第１連結部２１２および第２連結部２２２が相互切開されると、第１固定顎３１２および第２固定顎３１３の幅よりも狭い凹入溝によって、第１連結部２１２および第２連結部２２２が切開される方向に第１固定顎３１２および第２固定顎３１３が相互切開されて、挿入溝３１１に挿入されて固定部材３２０により結束されたバンド１１０の一部の結束が第１固定顎３１２および第２固定顎３１３に向かって解除されることができる。
【００６６】
ここまで、前述した本発明の一実施例を整理すると、被固定物を囲んだバンド１１０の一部が本体３１０の挿入溝３１１に挿入されると、バンド１１０の一部の掛かり顎１１１が挿入溝３１１の内面に設けられる固定部材３２０に掛かって結束され、作業者が第１把持部２１１および第２把持部２２１に引張力を加えるようになると、第１連結部２１２および第２連結部２２２が相互切開され、第１連結部２１２および第２連結部２２２が相互切開される方向に本体３１０に挿入されたバンド１１０の一部の結束が第１固定顎３１２および第２固定顎３１３に向かって解除されるようにするものである。
【００６７】
図７は、本発明の他の実施形態に係る切開型ケーブルタイの断面図である。
【００６８】
図７に示すように、本発明の他の実施形態に係る切開型ケーブルタイは、被固定物を囲んだバンド１１０の一部が挿入される本体３１０の両側面が切開されるようにするためのものであって、本体３１０の両側面に凹入した形状の第１凹入溝３１４、第２凹入溝３１５がそれぞれ設けられる。
【００６９】
第１凹入溝３１４は、図７に示すように、本体３１０の内面に形成されることによって、作業者が本体３１０の両側面に引張力を加えるようになると、引張力によって、本体３１０の両側面が切開されるようにするために形成される。
【００７０】
このとき、第１凹入溝３１４が本体３１０の内面に形成されることによって、本体３１０の両側面のうちの１つの側面の一部の幅が狭くなって、引張力によって容易に切開されることができる。
【００７１】
第２凹入溝３１５は、図７に示すように、本体３１０の外面に形成されることによって、作業者が本体３１０の両側面に引張力を加えるようになると、作業者の引張力によって、本体３１０の両側面が容易に切開されるようにするために形成される。
【００７２】
このとき、第２凹入溝３１５が本体３１０の外面に形成されることによって、本体３１０の両側面のうちの１つの側面と異なる一側面の一部の幅が狭くなり、作業者の引張力によって容易に切開されることができる。
【００７３】
このとき、第１凹入溝３１４および第２凹入溝３１５は、両側面のうちの１つの側面方向に凹入している形状で設けられることにより、作業者が第１切開部２１０および第２切開部２２０を把持して、本体３１０の両側面のうちの１つの方向に引張力を加えて本体３１０を捩るようになると、本体３１０が切断されて、本体３１０に挿入されて結束されたバンド１１０の一部の結束が解除されるようにすることができる。
【００７４】
さらに、本発明の他の実施形態においては、第１凹入溝３１４および第２凹入溝３１５が両側面のうちの１つの側面方向に開放されている形状で設けられると説明したが、第１凹入溝３１４および第２凹入溝３１５が互いに異なる側面の方向に開放されることができるか、本体３１０の両側面の内面と外面にそれぞれ切開が容易なように凹入した形状の凹入溝が形成されることができる。
【００７５】
すなわち、第１凹入溝３１４および第２凹入溝３１５は、作業者の引張力によって、本体３１０がねじ曲がって切断されることができるならば、図７に示した形状だけに限定されない。
【００７６】
これによって、バンド部が固定部に挿入されて結束され、固定部と連結される切開部に引張力が加わると、切開部に加わる引張力によって固定部が切開されて、バンド部の結束を解除することができる効果がある。
【００７７】
そして、作業者が固定部に連結される切開部を把持した状態で、バンド部で被固定物を囲む作業を行うことができ、作業性が向上する効果がある。
【００７８】
以上では、本発明の好ましい実施形態について図示して説明したが、本発明は、前述した特定の実施形態に限定されず、請求の範囲で請求する本発明の要旨を逸脱することなく、当該発明の属する技術分野における通常の知識を有する者により多様な変形実施が可能なのは勿論のこと、このような変形実施は、本発明の技術的思想や前方から個別的に理解されてはならない。
【図１】
0006513821.tif 000002
【図２】
0006513821.tif 000003
【図３】
0006513821.tif 000004
【図４】
0006513821.tif 000005
【図５】
0006513821.tif 000006
【図６】
0006513821.tif 000007
【図７】
0006513821.tif 000008